(57)【要約】      （修正有）【課題】スムーズに動き且つ良好な安定性及び快適性を備えたチェアーを提供する。【解決手段】チェアーの支持ホルダー２はベース１の上方に設けられている。シート４は背もたれ３と枢着し、シート４の後方には下部ガイドローラー４４２、前方には前部ガイドローラー４５１が設けられている。作動ホルダー５の作動プレート５１の後方及び前方にはそれぞれ第２、第３ガイドスロット５４、５５が設けられている。下部ガイドローラー４４２は第１、第２ガイドスロット２４、５４内で移動でき、第３ガイドスロット５５は前部ガイドローラー４５と接合できる。第１作動ロッド７の両端はそれぞれ支持ホルダー２及びシート４と枢着されている。第１作動ロッド７が収縮すると下部ガイドローラー４４２が第１、第２ガイドスロット２４、５４の後方部分に位置し、前部ガイドローラー４５が第３ガイドスロット５５の後方部分に位置し、さらにシート４を後ろへ下向きに移動させると同時に前端が持ち上がる動作が可能である。【選択図】図１
0003225237.tif 000002
【実用新案登録請求の範囲】
【請求項１】
ベースと、
前記ベースの上方に設けられ、少なくとも１つの地面に垂直な支持プレートを備えており、前記支持プレートの後側には第１ガイドスロットが設けられ、前記第１ガイドスロットは前方から後方まで下向きに傾斜した傾斜スロット部を備えている、支持ホルダーと、
背もたれと、
後方が前記背もたれと枢着されて、前記背もたれが後傾角度を調整できるようにし、後方の前記第１ガイドスロットに対応する位置には少なくとも１つの下部ガイドローラーが設けられ、また前方には少なくとも１つの前部ガイドローラーが設けられている、シートと、
前記シートの下方に設けられ、少なくとも１つの前記支持プレート側方に設けられた作動プレートを備えており、前記作動プレートの後方及び前方にはそれぞれ第２ガイドスロット及び第３ガイドスロットが設けられており、前記第２ガイドスロットは前記第１ガイドスロットの前記傾斜スロット部と対応しており、且つ前記第１ガイドスロットの片側に設けられて、前記下部ガイドローラーを前記第１ガイドスロット及び前記第２ガイドスロット内で移動させ、また前記第３ガイドスロットは前記第２ガイドスロットと傾斜度が異なり、且つ前記前部ガイドローラーと接合することができる、作動ホルダーと、
両端がそれぞれ前記支持ホルダー及び前記シートと枢着された第１作動ロッドであって、当該第１作動ロッドが伸長した場合は、前記下部ガイドローラーが前記第１ガイドスロット及び前記第２ガイドスロットの前方部分に位置することができ、前記前部ガイドローラーは前記第３ガイドスロットの前方部分に位置することができ、また、当該第１作動ロッドが収縮した場合は、前記下部ガイドローラーが前記第１ガイドスロット及び前記第２ガイドスロットの後方部分に位置することができ、前記前部ガイドローラーは前記第３ガイドスロットの後方部分に位置することができ、さらに前記シートを後ろへ移動させると同時に後端を下げることができ、且つ前記シートの前端を上向きに持ち上げる動作が可能である、第１作動ロッドと、
を含むことを特徴とするチェアー。
【請求項２】
前記第１ガイドスロットの前記傾斜スロット部の後方には下スロット部が下向きに設けられており、
前記作動ホルダーは前記支持ホルダーと枢着されており、
さらに前記第１作動ロッドが前記シートの前記下部ガイドローラーを連動させて前記下スロット部まで移動させると、前記シートの後端が下がって前記作動ホルダーを回動させることができ、且つ前記シートの前端が上向きに持ち上がるよう動作させることを特徴とする、請求項１に記載のチェアー。
【請求項３】
第２作動ロッドをさらに含み、
前記背もたれの底端は前記シートの後方と枢着されており、
前記第２作動ロッドの両端はそれぞれ前記背もたれ及び前記シートと枢着されており、且つ前記第２作動ロッドで前記背もたれの後傾角度を調整することができることを特徴とする、請求項１に記載のチェアー。
【請求項４】
リンク機構を備えたフットレストをさらに含み、前記リンク機構は前記シートと枢着されており、且つ前記シートに対応して、前に移動すると折り畳まれ、後ろへ移動すると展開する動作が可能であることを特徴とする、請求項１に記載のチェアー。
【請求項５】
少なくとも１つのバネをさらに含み、前記バネは前記支持ホルダー及び前記作動ホルダーと接合されていることを特徴とする、請求項１に記載のチェアー。
【請求項６】
前記シートは、２つの側部バーを備えており、前記２つの側部バーの前側及び後側にはそれぞれ前部バー及び後部バーが連結して設けられ、前記後部バーの前記支持ホルダーの前記支持プレートと対応する位置には少なくとも１つの後部ガイドポストが設けられ、各前記後部ガイドポストは互いに平行且つ前記支持プレート及び前記作動プレートを挟むことができる２つのプレート体を備えており、前記２つのプレート体の間の下方の位置には前記下部ガイドローラーが設けられていることを特徴とする、請求項１に記載のチェアー。
【請求項７】
前記第１ガイドスロットの頂縁部は前記支持プレートの頂縁部と平行であり、
また前記２つのプレート体の間の前記下部ガイドローラーに対して上方の位置には上部ガイドローラーが設けられ、前記上部ガイドローラーは前記支持プレートの頂縁部に沿って移動することができることを特徴とする、請求項６に記載のチェアー。
【請求項８】
前記支持ホルダーは、地面に対して水平方向の横柱を備えており、前記横柱の上方には第１枢着部が設けられ、また前記横柱の両側に地面に対して垂直方向に設けられる２つの支持プレートを含み、前記第１ガイドスロットの前記傾斜スロット部の後端には前記下スロット部が下向きに設けられており、前記支持プレートの前側の下方には第２枢着部が設けられており、
前記シートは、２つの側部バーを備えており、前記２つの側部バーの前側及び後側にはそれぞれ前部バー及び後部バーが連結して設けられ、前記後部バーの前記支持ホルダーの前記２つの支持プレートと対応する位置には２つの後部ガイドポストが設けられ、各前記後部ガイドポストは互いに平行且つ前記支持プレート及び前記作動プレートを挟むことができる２つのプレート体を備えており、前記２つのプレート体の間の下方の位置には前記下部ガイドローラーが設けられ、前記前部バーには各々が前記前部ガイドローラーと接合可能な２つの前部ガイドプレートが下向きに設けられ、また前記前部バーの後方には第９枢着部が設けられており、
前記作動ホルダーは、２つの平行且つ各々が前記２つの支持プレートの側方に設けられる作動プレートを備えており、前記２つの作動プレートは連接棒で連結され、各前記作動プレートの下方には前記支持プレートの前記第２枢着部と枢着される第１０枢着部が設けられており、
前記第１作動ロッドの両端には、前記支持ホルダーの前記第１枢着部及び前記シートの前記第９枢着部とそれぞれ枢設される第１５枢着部及び第１６枢着部がそれぞれ設けられていることを特徴とする、請求項１に記載のチェアー。
【請求項９】
第２作動ロッドをさらに含み、
また前記背もたれの両側の下方にはそれぞれ第３枢着部が設けられ、さらに前記背もたれの下方には第４枢着部が設けられており、
前記シートの前記２つの側部バーの後端には、それぞれ前記背もたれの前記第３枢着部と枢着される第５枢着部が設けられており、また前記側部バーには第８枢着部が前記シートの中央向きに設けられており、
前記第２作動ロッドの両端には、前記シートの前記第８枢着部及び前記背もたれの前記第４枢着部とそれぞれ枢設される第１７枢着部及び第１８枢着部がそれぞれ設けられており、
前記第１ガイドスロットの頂縁部は前記支持プレートの頂縁部と平行であり、
前記後部ガイドポストの上方には前記支持プレートの頂縁部に沿って移動可能な上部ガイドローラーが設けられており、
前記第３ガイドスロットは地面と平行であることを特徴とする、請求項８に記載のチェアー。
【請求項１０】
フットレストを更に含み、
前記シートの前記前部バーには２つの第６枢着部と１つの第７枢着部とが設けられており、
また前記フットレストのリンク機構は、前記作動プレートの２つの第１１枢着部と枢着される２つの第１２枢着部、前記シートの前記第６枢着部と枢着される２つの第１３枢着部、及び、前記シートの前記第７枢着部と枢着される第１４枢着部を備えていることを特徴とする、請求項８に記載のチェアー。
【考案の詳細な説明】
【技術分野】
【０００１】
本考案はチェアーに関し、それは主にスムーズに動き且つ良好な安定性及び快適性を備えたチェアーの組み合わせ構造に関するものである。
【背景技術】
【０００２】
従来のチェアーは、座り心地を向上させるため、後傾を調整可能にした背もたれを有する設計になっている。図８に示す従来構造の１つの例では、主にベース１’、シート２’、背もたれ３’を備え、且つベース１’の上方及び中央にはそれぞれアームレストフレーム１１’、ガイドバー１２’が固定接続されている。また、シート２’の前方には、ガイドバー１２’とスリーブ接続可能なスライドブッシュ２１’が設けられ、シート２’の後端には枢着部２２’が設けられている。また、背もたれ３’の底端には枢着部３１’が設けられ、シート２’の枢着部２１’と枢着されており、中央には枢着部３２’が設けられ、ベース１’の上方のアームレストフレーム１１’の後端と枢着されている。背もたれ３’、シート２’に小さな角度の着座角度を持たせることができ、また背もたれ３’を後傾させることもできる。それと同時にシート２’が連動して前に移動し、スライドブッシュ２１’をガイドバー１２’の前方部分まで移動させて、背もたれ３’、シート２’を大きなリクライニング角度に調製することができる。
【０００３】
しかし上述の構造では、リクライニング時にシート２’は背もたれ３’に連動されて前に移動するだけで、上昇角度θ１が小さいため、リクライニング時に身体の重量の大部分をシート２’が支えることになり、快適性があまり芳しくないという欠点があった。そのほか、この構造では背もたれ３’の角度を単独でコントロールすることができず、適用性が低いという欠点もあった。
【０００４】
また、図９に示す従来のチェアー構造の別の例では、主にベース４’、シート５’、背もたれ６’を備え、且つシート５’の前方にレッグレスト５１’が設けられ、さらにシート５’にはベース４’と接合されたバネ５２’が設けられている。また背もたれ６’、シート５’は固定の接合角度を有しており、且つ枢着部６１’が設けられ、ベース４’と枢着されている。着座者が背もたれ６’をリクライニングにすると、背もたれ６’、シート５’が枢着部６１’により回転し、且つバネ５２’が引っ張られて背もたれ６’の後傾角度を限定し、シート５’の地面に対して平行方向の仰角θ２を大幅に上昇させる。それにより、リクライニング時における使用者の重量の大部分を背もたれ６’に作用させ、リクライニングに無重力でひっくり返ったかの如く良好な快適性を持たせている。
【０００５】
しかし、上述の設計では、背もたれ６’を後傾させるとシート５’が対応して後ろに偏向し、重心がベース４’の後方部へ大きく移動してしまい、チェアー全体の重心が不安定になって転倒してしまう可能性があった。また、シート５’の上昇角度θ２が普通の人が仰向けになる角度よりもずっと大きいため、快適性が芳しくないという欠点が生じた。さらには背もたれ６’、シート５’の接合角度が固定されているため、背もたれ３’の角度を単独でコントロールすることができず、適用性が低いという欠点もあった。
【考案の概要】
【考案が解決しようとする課題】
【０００６】
本考案は、スムーズに動き且つ良好な安定性及び快適性を備えたチェアーを提供することを目的としている。
【課題を解決するための手段】
【０００７】
本考案のチェアーは、ベースと、支持ホルダーと、背もたれと、シートと、作動ホルダーと、第１作動ロッドと、を含む。
支持ホルダーは、ベースの上方に設けられ、少なくとも１つの地面に垂直な支持プレートを備えている。支持プレートの後側には第１ガイドスロットが設けられ、第１ガイドスロットは前方から後方まで下向きに傾斜した傾斜スロット部を備えている。
【０００８】
シートは、後方が背もたれと枢着されて、背もたれが後傾角度を調整できるようにし、後方の第１ガイドスロットに対応する位置には少なくとも１つの下部ガイドローラーが設けられ、また前方には少なくとも１つの前部ガイドローラーが設けられている。
【０００９】
作動ホルダーはシートの下方に設けられ、少なくとも１つの支持プレート側方に設けられた作動プレートを備えている。作動プレートの後方及び前方にはそれぞれ第２ガイドスロット及び第３ガイドスロットが設けられている。第２ガイドスロットは第１ガイドスロットの傾斜スロット部と対応しており、且つ第１ガイドスロットの片側に設けられて、下部ガイドローラーを第１ガイドスロット及び第２ガイドスロット内で移動させる。第３ガイドスロットは第２ガイドスロットと傾斜度が異なり、且つ前部ガイドローラーと接合することができる。
【００１０】
第１作動ロッドは、両端がそれぞれ支持ホルダー及びシートと枢着されている。当該第１作動ロッドが伸長した場合は、下部ガイドローラーが第１ガイドスロット及び第２ガイドスロットの前方部分に位置することができ、前部ガイドローラーは第３ガイドスロットの前方部分に位置することができる。また、当該第１作動ロッドが収縮した場合は、下部ガイドローラーが第１ガイドスロット及び第２ガイドスロットの後方部分に位置することができ、前部ガイドローラーは第３ガイドスロットの後方部分に位置することができる。第１作動ロッドは、さらにシートを後ろへ移動させると同時に後端を下げることができ、且つシートの前端を上向きに持ち上げる動作が可能である。
【００１１】
好ましくは、第１ガイドスロットの傾斜スロット部の後方には下スロット部が下向きに設けられている。作動ホルダーは支持ホルダーと枢着されており、さらに第１作動ロッドがシートの下部ガイドローラーを連動させて下スロット部まで移動させると、シートの後端が下がって作動ホルダーを回動させることができ、且つシートの前端が上向きに持ち上がるよう動作させる。
【００１２】
好ましくは、第２作動ロッドをさらに含む。背もたれの底端はシートの後方と枢着されており、第２作動ロッドの両端はそれぞれ背もたれ及びシートと枢着されており、且つ第２作動ロッドで背もたれの後傾角度を調整することができる。
【００１３】
好ましくは、リンク機構を備えたフットレストをさらに含む。リンク機構はシートと枢着されており、且つシートに対応して、前に移動すると折り畳まれ、後ろへ移動すると展開する動作が可能である。
【００１４】
好ましくは、少なくとも１つのバネをさらに含む。バネは支持ホルダー及び作動ホルダーと接合されている。
【考案の効果】
【００１５】
本考案は、第１作動ロッドが伸長している場合にはフットレストが折り畳まれた状態にあり、通常の着座に供される。このとき背もたれを第２作動ロッドで制御して適当な後傾角度に調整することができ、背もたれの角度はシート位置の影響を受けず、通常の着座における良好な快適性や適用性を具備する。
【００１６】
本考案は、第１作動ロッドを収縮させ、且つシートが作動ホルダーに対応して後ろへ移動するよう連動させることができ、且つ同時にフットレストのリンク機構が連動して前方向に展開する動作が可能である。また第１ガイドスロットの傾斜スロット部は後端が前端よりも低く設けられている。そのため、シート前端の仰角がシートが後ろへ移動する前の仰角よりも大きくなるまでシート後端が下がり、着座時の重心を後ろ向きにして背もたれに凭れ掛かるようにさせることで臀部にかかる力を低減することができ、且つ背もたれは必要に応じて後傾角度を第２作動ロッドで調製することができる。これにより座り心地及び適用性が向上する。
【００１７】
本考案はさらに、第１作動ロッドを収縮させることができ、下部ガイドローラーを第１ガイドスロットの下スロット部の位置まで移動させることができる。さらに作動ホルダーが連動して回動し、且つシート前端を上述の下部ガイドローラーが傾斜スロット部の位置にある場合よりもさらに大きな仰角に上昇させることができる。このとき第２作動ロッドが背もたれを良好なリクライニング角度まで後傾させ、臀部の圧力を後ろ向きにして背中や腰に平均的に分布させることで快適性を向上させることができ、且つリクライニング時に足を持ち上げることで血流の循環をより促進することができ、リラックスさせる心地良さと効果を向上させることができる。
【図面の簡単な説明】
【００１８】
【図１】本考案の分解斜視図である。
【図２】本考案の組立図であり、シートが前に移動した状態を示している。
【図３】本考案の平面図であり、シートが前に移動した状態を示している。
【図４】本考案の側面図であり、シートが前に移動した状態を示している。
【図５】本考案の側面図であり、下部ガイドローラーが傾斜スロット部の後端にある場合にシートが後ろへ移動して後端が下がり、且つ前端が上がった状態を示している。
【図６】本考案の斜視図であり、下部ガイドローラーが下スロット部にある場合にシートが後ろへ移動して後端が下がり、且つ前端が上がった状態を示している。
【図７】本考案の側面図であり、シートが後ろへ移動して後端が下がり、且つ前端が上がった状態を示している。
【図８】従来のチェアーの概略図である。
【図９】別の従来のチェアーの概略図である。
【考案を実施するための形態】
【実施例】
【００１９】
以下の図面中では各枢着位置の枢着部材は図示していない。図１〜図４を参照する。本考案のチェアーはベース１、支持ホルダー２、背もたれ３、シート４、作動ホルダー５、フットレスト６、第１作動ロッド７、第２作動ロッド８を含む。ベース１はシャシー１１を備えており、シャシー１１は直立の支柱１２を備えている。
【００２０】
支持ホルダー２はベース１の支柱１２の上方に設けられ、地面に対して水平方向の横柱２１を備えており、支柱１２と組み合わされる。横柱２１の上方には第１枢着部２２が設けられ、また横柱２１の両側は各々に地面に対して垂直方向の支持プレート２３が設けられる。２つの支持プレート２３は対称構造であり、各支持プレート２３の後側には第１ガイドスロット２４が設けられる。第１ガイドスロット２４の前側に傾斜スロット部２４１を備えており、傾斜スロット部２４１は前方から後方まで下向きの傾斜を呈しており、傾斜スロット部２４１の後端には、下スロット部２４２が下向きに曲げて設けられている。また第１ガイドスロット２４の頂縁部は支持プレート２３の頂縁部と平行である。また各支持プレート２３の前側の下方には第２枢着部２５が設けられ、各支持プレート２３の内側それぞれに下凸柱２６が設けられている。
【００２１】
背もたれ３の両側の下方にはそれぞれ第３枢着部３１が設けられ、さらに背もたれ３の下方には第４枢着部３２が設けられている。
【００２２】
シート４は２つの側部バー４０を備えており、２つの側部バー４０の前側及び後側にはそれぞれ前部バー４１及び後部バー４２が連結して設けられている。２つの側部バー４０の後端には、それぞれ背もたれ３の第３枢着部３１と枢着される第５枢着部４３が設けられている。後部バー４２の支持ホルダー２の２つの支持プレート２３と対応する位置には２つの後部ガイドポスト４４が設けられ、各後部ガイドポスト４４は互いに平行な２つのプレート体４４１を備えている。２つのプレート体４４１の間の下位置及び上位置には、それぞれ第１ガイドスロット２４及び支持プレート２３の頂縁部に沿って移動可能な下部ガイドローラー４４２、上部ガイドローラー４４３が設けられている。また前部バー４１には２つの前部ガイドプレート４５が下向きに設けられ、２つの前部ガイドプレート４５の各々には前部ガイドローラー４５１が設けられている。また前部バー４１の前方には２つの第６枢着部４６が設けられ、前部バー４１の後方には第７枢着部４７が設けられている。また側部バー４０には第８枢着部４８がシート４の中央向きに設けられている。また前部バー４１の後方には第９枢着部４９が設けられている。
【００２３】
作動ホルダー５はシート４の下方に設けられ、２つの平行な作動プレート５１を備えており、且つ各々は２つの支持プレート２３の側方に設けられている。２つの作動プレート５１は連接棒５２で連結されており、各作動プレート５１の下方には支持プレート２３の第２枢着部２５と枢着される第１０枢着部５３が設けられている。また作動プレート５１の後方及び前方には、それぞれ第２ガイドスロット５４及び第３ガイドスロット５５が設けられている。第２ガイドスロット５４の長さは第１ガイドスロット２４の傾斜スロット部２４１とほぼ対応しており、且つ第１ガイドスロット２４の片側に設けられている。また第３ガイドスロット５５は地面に対してほぼ水平に設けられている。また作動プレート５１及び支持プレート２３は、後部ガイドポスト４４の２つのプレート板４４１に挟まれており、且つ下部ガイドローラー４４２を同時に第１ガイドスロット２４及び第２ガイドスロット５４内で移動させ、且つ上部ガイドローラー４４３は支持プレート２３の頂縁部で移動することができる。また第３ガイドスロット５５はシート４の前部ガイドローラー４５１と接合され、且つ前部ガイドローラー４５１を第３ガイドスロット５５内で移動させる。また作動プレート５１の内側には上凸柱５６が設けられている。上凸柱５６及び下凸柱２６はバネ５７と接合され、且つバネ５７の張力によって作動ホルダー５のぐらつきを防ぎ、作動ホルダー５の安定性を向上させる。また２つの作動プレート５１の前側の上方それぞれに第１１枢着部５８が設けられている。
【００２４】
フットレスト６はシート４の動作に合わせて収縮及び展開可能なリンク機構６１を備えている。リンク機構６１は、作動プレート５１の２つの第１１枢着部５８と枢着される２つの第１２枢着部６２、シート４の第６枢着部４６と枢着される２つの第１３枢着部６３、及び、シート４の第７枢着部４７と枢着される第１４枢着部６４を備えている。
【００２５】
第１作動ロッド７は、電動ロッドか又は他の伸縮可能なロッド体でよい。第１作動ロッド７の両端には、支持ホルダー２の第１枢着部２２及びシート４の第９枢着部４９とそれぞれ枢設される第１５枢着部７１及び第１６枢着部７２がそれぞれ設けられている。
【００２６】
第２作動ロッド８は、電動ロッドか又は他の伸縮可能なロッド体でよい。第２作動ロッド８の両端には、シート４の第８枢着部４８及び背もたれ３の第４枢着部３２とそれぞれ枢設される第１７枢着部８１及び第１８枢着部８２がそれぞれ設けられている。
【００２７】
本考案は、第１作動ロッド７が伸長している場合にはシート４が作動ホルダー５に対応して前に移動した位置にあり、前部ガイドローラー４５１を作動ホルダー５の第３ガイドスロット５５の前方部分に位置させて、下部ガイドローラー４４２を支持ホルダー２の第１ガイドスロット２４、作動ホルダー５の第２ガイドスロット５４の前方部分に位置させることができる。このときシート４の前方の仰角はθ３であり、且つフットレスト６は折り畳まれた状態にあって通常の着座に供される。このとき背もたれ３は第２作動ロッド８で制御して適当な後傾角度に調整することができ、背もたれ３の角度はシート４の位置の影響を受けず、通常の着座における良好な快適性や適用性を具備する。
【００２８】
図１、図５を参照する。本考案は、第１作動ロッド７を収縮させ、且つシート４が作動ホルダー５に対応して後ろへ移動するよう連動させることができ、さらに前部ガイドローラー４５１を第３ガイドスロット５５の後端部分に移動させることができる。下部ガイドローラー４４２は第１ガイドスロット２４の傾斜スロット部２４１の後方部分に移動することができ、上部ガイドローラー４４３は支持プレート２３の頂部の後方部分に移動することができ、且つシート４が後ろへ移動すると同時にフットレスト６のリンク機構６１が連動して前方向に展開する動作が可能である。
また第１ガイドスロット２４の傾斜スロット部２４１は後端が前端よりも低く設けられている。そのため、図４で示すように、シート４の前端の仰角θ４はシート４が後ろへ移動する前の仰角θ３よりも大きくなり、着座時の重心を後ろ向きにして背もたれ３に凭れ掛かるようにさせることで臀部にかかる力を低減することができ、且つ背もたれ３は必要に応じて後傾角度を第２作動ロッド８で調製することができる。これにより座り心地及び適用性が向上する。
また上述のシート４が後ろへ移動した場合、その前方は前部ガイドローラー４５１と第３ガイドスロット５５が接合され、同時に後方は下部ガイドローラー４４２と第１ガイドスロット２４及び第２ガイドスロット５４とが接合されていることで、良好な動作安定性を具備することができる。また下部ガイドローラー４４２、上部ガイドローラー４４３が支持プレート２３の第１ガイドスロット２４及び支持プレート２３の頂縁部を挟むことができるので、良好な支持強度及び動作安定性を具備することができる。
【００２９】
図６、図７を参照する。本考案はさらに、第１作動ロッド７を収縮させることができ、下部ガイドローラー４４２を第１ガイドスロット２４の下スロット部２４２の位置まで移動させることができる。さらに作動ホルダー５が連動して第２枢着部２５、第１０枢着部５３の位置で回動し、且つシート４の前端を上述の下部ガイドローラー４４２が傾斜スロット部２４１の位置にある場合の角度θ４よりもさらに大きな仰角θ５に上昇させることができる。このとき第２作動ロッド８が背もたれ３を良好なリクライニング角度まで後傾させ、臀部の圧力を後ろ向きにして背中や腰に平均的に分布させることで快適性を向上させることができ、且つリクライニング時に足を持ち上げることで血流の循環をより促進することができ、リラックスさせる心地良さと効果を向上させることができる。
【００３０】
上述により、本考案はリクライニングの快適性を向上させることができ、また通常の着座時に必要に応じて背もたれの角度を調整することで座り心地を向上させることができる。また本考案は、シートの前方にフットレストを設けなくてもよい。上述の実施例は本考案を例示するものであって、本考案を限定するものではなく、本考案の精神に基づく同等の効果が得られる改変はすべて本考案の範囲に属する。
【００３１】
具体的な実施例により詳細な説明を行ったが、本考案の技術範囲を逸脱せずに多くの修正及び変更を行うことが可能であり、本考案の範囲は実用新案登録請求の範囲によって定められる。
【符号の説明】
【００３２】
１      ベース
１１    シャシー
１２    支柱
２      支持ホルダー
２１    横柱
２２    第１枢着部
２３    支持プレート
２４    第１ガイドスロット
２４１  傾斜スロット部
２４２  下スロット部
２５    第２枢着部
２６    下凸柱
３      背もたれ
３１    第３枢着部
３２    第４枢着部
４      シート
４０    側部バー
４１    前部バー
４２    後部バー
４３    第５枢着部
４４    後部ガイドポスト
４４１  プレート体
４４２  下部ガイドローラー
４４３  上部ガイドローラー
４５    前部ガイドプレート
４５１  前部ガイドローラー
４６    第６枢着部
４７    第７枢着部
４８    第８枢着部
４９    第９枢着部
５      作動ホルダー
５１    作動プレート
５２    連接棒
５３    第１０枢着部
５４    第２ガイドスロット
５５    第３ガイドスロット
５６    上凸柱
５７    バネ
５８    第１１枢着部
６      フットレスト
６１    リンク機構
６２    第１２枢着部
６３    第１３枢着部
６４    第１４枢着部
７      第１作動ロッド
７１    第１５枢着部
７２    第１６枢着部
８      第２作動ロッド
８１    第１７枢着部
８２    第１８枢着部
１’    ベース
１１’  アームレストフレーム
１２’  ガイドバー
２’    シート
２１’  スライドブッシュ
２２’  枢着部
３’    背もたれ
４’    ベース
５’    シート
５１’  レッグレスト
５２’  バネ
６’    背もたれ
６１’  枢着部
【図１】
0003225237.tif 000003
【図２】
0003225237.tif 000004
【図３】
0003225237.tif 000005
【図４】
0003225237.tif 000006
【図５】
0003225237.tif 000007
【図６】
0003225237.tif 000008
【図７】
0003225237.tif 000009
【図８】
0003225237.tif 000010
【図９】
0003225237.tif 000011
【手続補正書】
【提出日】令和1年12月11日(2019.12.11)
【手続補正１】
【補正対象書類名】実用新案登録請求の範囲
【補正対象項目名】請求項８
【補正方法】変更
【補正の内容】
【請求項８】
前記支持ホルダーは、地面に対して水平方向の横柱を備えており、前記横柱の上方には第１枢着部が設けられ、また前記横柱の両側に地面に対して垂直方向に設けられる２つの支持プレートを含み、前記第１ガイドスロットの前記傾斜スロット部の後端には前記下スロット部が下向きに設けられており、前記支持プレートの前側の下方には第２枢着部が設けられており、
前記シートは、２つの側部バーを備えており、前記２つの側部バーの前側及び後側にはそれぞれ前部バー及び後部バーが連結して設けられ、前記後部バーの前記支持ホルダーの前記２つの支持プレートと対応する位置には２つの後部ガイドポストが設けられ、各前記後部ガイドポストは互いに平行且つ前記支持プレート及び前記作動プレートを挟むことができる２つのプレート体を備えており、前記２つのプレート体の間の下方の位置には前記下部ガイドローラーが設けられ、前記前部バーには各々が前記前部ガイドローラーと接合可能な２つの前部ガイドプレートが下向きに設けられ、また前記前部バーの後方には第９枢着部が設けられており、
前記作動ホルダーは、２つの平行且つ各々が前記２つの支持プレートの側方に設けられる作動プレートを備えており、前記２つの作動プレートは連接棒で連結され、各前記作動プレートの下方には前記支持プレートの前記第２枢着部と枢着される第１０枢着部が設けられており、
前記第１作動ロッドの両端には、前記支持ホルダーの前記第１枢着部及び前記シートの前記第９枢着部とそれぞれ枢設される第１５枢着部及び第１６枢着部がそれぞれ設けられていることを特徴とする、請求項２に記載のチェアー。